(57)【特許請求の範囲】
【請求項１】
錠剤を収容して逐次排出する錠剤フィーダと、前記錠剤フィーダを複数装備しており筐体から前方へ引出可能な錠剤フィーダ格納庫を複数と、前記錠剤フィーダ格納庫に装備されていて前記錠剤フィーダから排出された錠剤を下方へ案内して落下させる上部錠剤収集機構を複数と、前記上部錠剤収集機構から落下した錠剤を一時貯留してから放下する単列貯留機構を複数と、前記単列貯留機構を複数同時に動作させて錠剤放下を一斉に行わせる複列同時駆動機構と、前記錠剤フィーダ格納庫の下方に設けられていて前記単列貯留機構から落下した錠剤を収集して下方へ投入する下部錠剤収集機構と、前記下部錠剤収集機構の下方に設けられていて前記下部錠剤収集機構から投入された錠剤を包装帯に区分包装する包装装置とを備えた錠剤分包機において、
前記上部錠剤収集機構を縦割りにした形で左右の縦割左側部分と縦割右側部分とに分けて、前記上部錠剤収集機構の縦割左側部分を前記錠剤フィーダ格納庫の隣接対のうち左側のものの右側面に装備し、前記上部錠剤収集機構の縦割右側部分を前記隣接対のうち右側の錠剤フィーダ格納庫の左側面に装備し、更に、前記複列同時駆動機構と前記単列貯留機構との連結部に分離係合可能な伝動機構を設け、前記複列同時駆動機構を奥側に配置し、その手前側に前記単列貯留機構を左右に並走状態で配置するとともに個別に前方へ引き出せるようにした錠剤分包機であって、
前記単列貯留機構を前記上部錠剤収集機構の縦割左側部分か縦割右側部分か何れか一方の下端部に付設し、更に、前記単列貯留機構を前記上部錠剤収集機構の縦割左側部分に付設する態様では前記単列貯留機構のうち右側部分を着脱自在な引出時錠剤落下防止部材にし、前記単列貯留機構を前記上部錠剤収集機構の縦割右側部分に付設する態様では前記単列貯留機構のうち左側部分を着脱自在な引出時錠剤落下防止部材にしたことを特徴とする錠剤分包機。
【請求項２】
錠剤を収容して逐次排出する錠剤フィーダと、前記錠剤フィーダを複数装備しており筐体から前方へ引出可能な錠剤フィーダ格納庫を複数と、前記錠剤フィーダ格納庫に装備されていて前記錠剤フィーダから排出された錠剤を下方へ案内して落下させる上部錠剤収集機構を複数と、前記上部錠剤収集機構から落下した錠剤を一時貯留してから放下する単列貯留機構を複数と、前記単列貯留機構を複数同時に動作させて錠剤放下を一斉に行わせる複列同時駆動機構と、前記錠剤フィーダ格納庫の下方に設けられていて前記単列貯留機構から落下した錠剤を収集して下方へ投入する下部錠剤収集機構と、前記下部錠剤収集機構の下方に設けられていて前記下部錠剤収集機構から投入された錠剤を包装帯に区分包装する包装装置とを備えた錠剤分包機において、
前記上部錠剤収集機構を縦割りにした形で左右の縦割左側部分と縦割右側部分とに分けて、前記上部錠剤収集機構の縦割左側部分を前記錠剤フィーダ格納庫の隣接対のうち左側のものの右側面に装備し、前記上部錠剤収集機構の縦割右側部分を前記隣接対のうち右側の錠剤フィーダ格納庫の左側面に装備し、更に、前記複列同時駆動機構と前記単列貯留機構との連結部に分離係合可能な伝動機構を設け、前記複列同時駆動機構を奥側に配置し、その手前側に前記単列貯留機構を左右に並走状態で配置するとともに個別に前方へ引き出せるようにした錠剤分包機であって、
前記単列貯留機構を縦割りにした形で左右の縦割左側部分と縦割右側部分とに分けて、前記単列貯留機構の縦割左側部分を前記上部錠剤収集機構の縦割左側部分の下端部に付設し、前記単列貯留機構の縦割右側部分を前記上部錠剤収集機構の縦割右側部分の下端部に付設し、更に、前記単列貯留機構の縦割左側部分に錠剤貯留放下切替用の可動部材が装備されている態様では前記単列貯留機構の縦割左側部分に右側から着脱自在な引出時錠剤落下防止部材を装着し、前記単列貯留機構の縦割右側部分に錠剤貯留放下切替用の可動部材が装備されている態様では前記単列貯留機構の縦割右側部分に左側から着脱自在な引出時錠剤落下防止部材を装着したことを特徴とする錠剤分包機。
【請求項３】
前記着脱部材は前記単列貯留機構の他の部材より背丈が小さいものであることを特徴とする請求項１又は請求項２に記載された錠剤分包機。
【請求項４】
前記上部錠剤収集機構の内部空間の上側部分の前後の長さが前記単列貯留機構の内部空間の前後の長さより長くなっており、前記上部錠剤収集機構の内部空間の下側部分の前後の長さを前記上部錠剤収集機構の内部空間の上側部分の前後の長さから前記単列貯留機構の内部空間の前後の長さへ漸減させる斜め上向き斜面を具備した前後長漸減部材を前記上部錠剤収集機構の前下部分と後下部分のうち何れか一方または双方に対して着脱自在に装着したことを特徴とする請求項１乃至請求項３の何れかに記載された錠剤分包機。
【発明の詳細な説明】
【技術分野】
【０００１】
この発明は、各種の錠剤を収容しておき処方箋や調剤指示に応じて所望の錠剤を自動排出して分包する錠剤分包機に関し、詳しくは、上部錠剤収集機構と下部錠剤収集機構との中間に一時貯留機構を備えている錠剤分包機に関し、更に詳しくは上部錠剤収集機構が縦割左側部分と縦割右側部分とに分かれている錠剤分包機に関する。
【背景技術】
【０００２】
玉剤やそれに準じたカプセル剤といった錠剤を分包する幾つかの錠剤分包機１０，２０，３０，４０について、その構造等を、図面を引用して説明する。
そのうち、錠剤分包機１０は、錠剤手撒き装置も一時貯留機構も付いていない最も基本的な構成のものであるが（図８（ａ）〜（ｃ）参照、例えば特許文献１，２参照）、錠剤分包機２０は、錠剤分包機１０に錠剤手撒き装置２１＋２２が組み込まれたものであり（図８（ｄ）参照、例えば特許文献３参照）、錠剤分包機３０は、錠剤分包機２０に一時貯留機構３１が組み込まれたものであり（図９参照、例えば特許文献４，５参照）、錠剤分包機４０は、上部薬剤収集機構１４０が内面清掃容易化のため縦に二分割されたものである（図１０参照、例えば特許文献６参照）。
【０００３】
先ず、基本構成の錠剤分包機１０を説明するが、図８は、（ａ）が左前から見た錠剤分包機１０の外観斜視図、（ｂ）が錠剤分包機１０の内部構造を示す模式図、（ｃ）が左前から見た錠剤分包機１０の外観斜視図である。この錠剤分包機１０は（特許文献１，２も参照）、各種の錠剤１を種類分けして収容した多数の錠剤フィーダ１３と、これらの錠剤フィーダ１３から排出された錠剤１を収集する錠剤収集機構１４，１５と、この錠剤収集機構１４，１５から受けた錠剤１を包装する包装装置１７と、マイクロプロセッサシステム等からなるコントローラ１８（制御装置）とを具えている。そして、コントローラ１８の制御の下、処方箋データや派生した調剤指示データ等に応じて該当する錠剤フィーダ１３から必要個数の錠剤１を排出させ、それを錠剤収集機構１４，１５で収集して下方の錠剤投入部１６（収集錠剤投入口）へ送り込み、更に包装装置１７で分包する。分包は服用単位や施用単位で区分しながら包装帯２（分包紙）で密封包装するようになっている。
【０００４】
詳述すると、錠剤分包機１０の筐体内には、上の方に薬品庫１１（薬品棚部、錠剤収納庫格納部）が設けられるとともに、下の方に包装装置１７が設けられ、さらに、これらの間を錠剤収集機構としての上部錠剤収集機構１４と下部錠剤収集機構１５が連絡しているが、薬品庫１１には、個々にスライドしうる複数の錠剤フィーダ格納庫１２（錠剤収納庫）が横に並べて配設され、それぞれの錠剤フィーダ格納庫１２には、数個から数十個のカセット着脱式の錠剤フィーダ１３が縦横に並べて格納されている。
各錠剤フィーダ１３は、多数の錠剤１を排出可能に収容する錠剤カセットと、この錠剤カセットを着脱可能に支持してその排出駆動を行うベース部とに大別され、指定錠数だけ錠剤１を排出して上部錠剤収集機構１４に送り込むようになっている。
【０００５】
上部錠剤収集機構１４は、ダクト等の導管からなり、錠剤フィーダ格納庫１２に分散して数本ずつ設けられているが、何れも鉛直状態・縦置き状態で装着されていて、多数の錠剤フィーダ１３間を並行して走る複数の案内路部分となっている。
錠剤フィーダ格納庫１２は、水平にスライドさせることで、それに装備されている上部錠剤収集機構１４及び錠剤フィーダ１３と共に、前方に引き出せるようになっている。
下部錠剤収集機構１５は、比較的大きなホッパ状部材や漏斗状部材からなり、薬品庫１１の下方であって包装装置１７の上方にあたるところに組み込まれて、上部開口が総ての上部錠剤収集機構１４の下端をカバーするほどに大きく開いており、下部開口が包装装置１７の錠剤投入部１６に向けて絞られていて、何れの上部錠剤収集機構１４によって案内されて来た錠剤１も下部開口へ向けて集めて包装装置１７へ送り込むので、総ての上部錠剤収集機構１４から包装装置１７に至る共通路部分となっている。
【０００６】
そして、用量や用法等を記した処方箋等の指定に基づく操作パネル１９の操作あるいは図示しない適宜な入力装置や処方オーダリングシステムでの調剤指示に応じて、コントローラ１８の制御の下、幾つかの錠剤フィーダ１３から排出された錠剤１は、各上部錠剤収集機構１４を介して下部錠剤収集機構１５内へ落下し、その下部錠剤収集機構１５で集められて、その下方の出口から包装装置１７の錠剤投入部１６へ投入される。このような錠剤収集経路を経て、錠剤１は、包装装置１７によって包装帯２に分包される。包装装置１７は、包装帯２を所定長ずつ送り出すとともに加熱シーリングしながら分包を行う。このように、錠剤の自動分包に際し、錠剤１が適宜の錠剤フィーダ１３から錠剤収集機構１４，１５を経て包装装置１７へ一錠またはその倍数ごとに供給されるようになっている。
【０００７】
次に、錠剤手撒き装置２１＋２２の付いた錠剤分包機２０を説明する、図８（ｄ）は、錠剤分包機２０の左側面図である。この錠剤分包機２０は（特許文献３も参照）、上述したように錠剤分包機１０に錠剤手撒き装置２１＋２２が組み込まれたものであり、錠剤手撒き装置２１＋２２は、例えばカセット式の予備撒き部２１と、例えばコンベア式の作動部２２とからなる。予備撒き部２１には多数の区画室が縦横に並べて形成されており、各区画室は、上面が錠剤投入のため解放され、下面・底面が錠剤排出のためシャッタ等で出来ていて開閉するようになっている。予備撒き部２１は、各区画室への錠剤手撒きのために、錠剤分包機２０の筐体から前方へ引き出し可能になっている。また、予備撒き部２１への錠剤投入は手撒きでも、作動部２２は、自動で錠剤１を排出するようになっている。具体的には、錠剤分包機２０の筐体内で、押し込まれた予備撒き部２１の下方に位置する所に設けられていて、予備撒き部２１の区画室から排出された錠剤１を受け取って一区画室分ずつ下部錠剤収集機構１５を介して包装装置１７へ送り込むようになっている。
【０００８】
さらに、錠剤手撒き装置２１＋２２に加えて一時貯留機構３１も筐体内に組み込まれている錠剤分包機３０を説明する。図９は、一時貯留機構３１を引出可能にした試作の錠剤分包機３０について、（ａ）が錠剤フィーダ格納庫１２も一時貯留機構３１も総て筐体内に押し込んだところを左前から見た外観斜視図、（ｂ）が内部構造を示す模式図、（ｃ）が錠剤フィーダ格納庫１２を一つと一時貯留機構３１とを筐体から引き出したところを左前から見た外観斜視図である。
【０００９】
一時貯留機構３１は、上側の上部錠剤収集機構１４及び錠剤手撒き装置２１＋２２と下側の下部錠剤収集機構１５との中間層に設けられて、錠剤フィーダ１３から排出されて上部錠剤収集機構１４に案内されて落下した錠剤１を一旦留め置き、適切な時期に放下して下部錠剤収集機構１５へ落下させるものである。一時貯留することで、各錠剤フィーダ１３の排出タイミングの相違ひいては落下開始時刻のバラツキや，各上部錠剤収集機構１４の落下経路長の相違ひいては落下時間のバラツキなどに起因する錠剤１の収集時刻のバラツキを解消し、一包分の錠剤１を纏めて一斉に下部錠剤収集機構１５へ落下させることで、包装装置１７の投入待ち時間を短縮し、錠剤分包の高速化に役立っている。
【００１０】
一時貯留機構３１は、中空を上下方向・鉛直方向に向けた筒体とその中空を開閉する開閉部材とが主要部材であり、マトリクス状の平面配置の上部錠剤収集機構１４それぞれに対応させて筒体と開閉部材とをマトリクス状に平面配置したものと、一列分の上部錠剤収集機構１４に一つの単列貯留機構３２を配置したものとがあり、図示した錠剤分包機３０の一時貯留機構３１では、後者の単列貯留機構３２が複数列設されている。また、一時貯留機構３１には、複数の単列貯留機構３２の開閉部材を同時に開閉動作させるために、各単列貯留機構３２に一端側から連結された複列同時駆動機構３３も設けられていて、その複列同時駆動機構３３が開閉部材の動作駆動を行うようになっている。
【００１１】
上述した錠剤分包機１０，２０，３０では、上部錠剤収集機構１４が錠剤フィーダ格納庫１２それぞれに組み込まれている。このため、上部錠剤収集機構１４を清掃するときには、先ず錠剤フィーダ格納庫１２を薬品庫１１や筐体から前方へ引き出して、上部錠剤収集機構１４の上下端を露出させ、その状態で上下の開口から清掃用具を中空に差し込んで上部錠剤収集機構１４の内側の錠剤落下経路囲繞面を拭くことで綺麗にしていた。もっとも、このような清掃作業は、作業者に不自然な姿勢を強いるので負担になるばかりか遣りにくいため能率も悪いので、上部錠剤収集機構１４の内面を清掃するのが容易な錠剤分包機を実現することが求められていた。
【００１２】
そして、その要請に応えるために、上部錠剤収集機構１４を縦割したうえで錠剤フィーダ格納庫１２の引出に随伴して上部錠剤収集機構の内側の錠剤落下経路囲繞面が露出するように改良した錠剤分包機４０が開発されている（例えば特許文献６参照）。図１０は、錠剤分包機４０の構成を示しており、（ａ）が総ての薬剤フィーダ格納庫１２を薬品庫１１に押し込んだときの上部薬剤収集機構１４０等の平面図、（ｂ）が一部の薬剤フィーダ格納庫１２を薬品庫１１から前方へ引き出したときの上部薬剤収集機構１４０等の平面図、（ｃ）が上部薬剤収集機構１４０を右斜め上から見下ろした斜視図、（ｄ）が上部薬剤収集機構１４０の縦割右側部分１４２を左斜め上から見下ろした斜視図である。
【００１３】
図示した錠剤分包機４０の具体的な構成は、薬剤を収容して逐次排出する薬剤フィーダ１３と、それを複数装備しており筐体から引出可能な薬剤フィーダ格納庫１２を複数と、それに装備されていて薬剤フィーダ１３から排出された薬剤を下方へ案内して落下させる上部薬剤収集機構１４０と、そこから落下した薬剤を収集して下方へ投入する下部薬剤収集機構１５と、そこから投入された薬剤を包装帯に区分包装する包装装置１７とを備えた薬剤分包機４０において、上部薬剤収集機構１４０が縦割形の縦割左側部分１４１と縦割右側部分１４２とを具備し、縦割左側部分１４１が薬剤フィーダ格納庫１２の隣接対の左側の右側面に装備され、縦割右側部分１４２が上記隣接対の右側の薬剤フィーダ格納庫１２の左側面に装備されたものとなっている。
【先行技術文献】
【特許文献】
【００１４】
【特許文献１】特開２００５−１９２７０２号公報
【特許文献２】特開２００６−１０９８６０号公報
【特許文献３】特開２００７−２０９６００号公報
【特許文献４】特開２００１−０８７３５３号公報
【特許文献５】特開２０１１−１８２８８９号公報
【特許文献６】特開２０１１−１８２８９０号公報
【特許文献７】特願２０１０−２８８９６０号
【発明の概要】
【発明が解決しようとする課題】
【００１５】
ところで、錠剤フィーダ格納庫１２は機械部が個々に分離されているので、個別引出を前提にした改良を考えることができたが、一時貯留機構３１の場合、単列貯留機構３２だけみれば列毎に分離されているが、何れの単列貯留機構３２も同一の複列同時駆動機構３３に連結されているので、錠剤フィーダ格納庫１２とは設置状況が異なる。そこで、やはり錠剤落下経路の中間部を構成する一時貯留機構３１について、全体が連結されていることを前提として、錠剤落下経路囲繞面の清掃作業が容易になるよう、工夫し改良した試作品が上述の錠剤分包機３０であり（図９（ｃ）参照）、一時貯留機構３１を前方へ引き出せるようにしたうえで、錠剤落下経路囲繞面を持つ単列貯留機構３２を手前側に配置し、錠剤落下経路囲繞面を持たない複列同時駆動機構３３を奥側に配置したものである。
【００１６】
しかしながら、この程度の改良では、複数の単列貯留機構３２が並列になっていて、その錠剤落下経路囲繞面が平面状に広がって分布しているため、一時貯留機構３１のうち中央部分や奥寄り部分を清掃するときには、作業者が屈み込むような姿勢を強いられるうえ、意に反して舞い上がってしまった付着物が清掃済み部分に再付着してしまうことも考えられる。このため、清掃作業が遣りにくく能率も悪いので、更なる改良が求められる。
そして、かかる要請に応えるために、単列貯留機構の内面を清掃するのが容易になった錠剤分包機が開発されている（特許文献７参照）。
【００１７】
その具体的な構成は、錠剤を収容して逐次排出する錠剤フィーダ１３と、前記錠剤フィーダ１３を複数装備しており筐体から前方へ引出可能な錠剤フィーダ格納庫１２を複数と、前記錠剤フィーダ格納庫１２に装備されていて前記錠剤フィーダ１３から排出された錠剤１を下方へ案内して落下させる上部錠剤収集機構１４を複数と、前記上部錠剤収集機構１４から落下した錠剤１を一時貯留してから放下する単列貯留機構３２を複数と、前記単列貯留機構３２を複数同時に動作させて錠剤放下を一斉に行わせる複列同時駆動機構３３と、前記錠剤フィーダ格納庫１２の下方に設けられていて前記単列貯留機構３２から落下した錠剤１を収集して下方へ投入する下部錠剤収集機構１５と、前記下部錠剤収集機構１５の下方に設けられていて前記下部錠剤収集機構１５から投入された錠剤１を包装帯２に区分包装する包装装置１７とを備えた錠剤分包機３０において、前記複列同時駆動機構３３と前記単列貯留機構３２との連結部に分離係合可能な伝動機構を設け、前記複列同時駆動機構３３を奥側に配置し、その手前側に前記単列貯留機構３２を左右に並走状態で配置するとともに一つずつ前方へ引き出せるようにした、というものである。
【００１８】
また、それに加えて、前記上部錠剤収集機構１４が縦割りにて左右に分かれた形の縦割左側部分１４１と縦割右側部分１４２とを具備した上部錠剤収集機構１４０になっており、前記上部錠剤収集機構１４０の縦割左側部分１４１が前記錠剤フィーダ格納庫１２の隣接対のうち左側のものの右側面に装備され、前記上部錠剤収集機構１４０の縦割右側部分１４２が前記隣接対のうち右側の錠剤フィーダ格納庫１２の左側面に装備されているという上述の錠剤分包機４０をも前提として、前記単列貯留機構３２が前記上部錠剤収集機構１４０の縦割左側部分１４１か縦割右側部分１４２か何れか一方の下端部に付設されている、又は前記単列貯留機構３２の縦割左側部分が前記上部錠剤収集機構１４０の縦割左側部分１４１の下端部に付設されるとともに前記単列貯留機構３２の縦割右側部分が前記上部錠剤収集機構１４０の縦割右側部分１４２の下端部に付設されている、というものになっている。
【００１９】
しかしながら、このような錠剤分包機を試作し稼動させて評価したり種々の事態を仮定した思考実験にて評価してみると、更なる課題も浮かび上がってきた。すなわち、単列貯留機構を上部錠剤収集機構と同様に左右に縦割りして縦割左側部分も縦割右側部分も単列貯留機構が上部錠剤収集機構に随伴して引き出されるようにしたものでは、単列貯留機構まで対面状態で清掃作業を行うことができるので、作業性に優れているという利点がある一方、単列貯留機構を上部錠剤収集機構の縦割部分の一方に付設したものでは、安全性を厳しく評価するため例えば単列貯留機構が錠剤を保持したまま引き出されてしまったという想定外の事態を仮想した場合ですら、引出中あらぬ所に錠剤が落下してしまうという不都合が起こりえないので、安全性に優れているという利点がある。
【００２０】
このように両者には一長一短があり、まだ改善の余地があることが判明したため、双方の長所を兼ね備えた装置を開発し提供することが望まれることとなる。
そこで、単列貯留機構を上部錠剤収集機構に随伴させて引き出しても引出中は一時貯留錠剤の不所望な落下を防止することができ引出後は対面状態で清掃できる錠剤分包機を実現することが技術的な課題となる。
【課題を解決するための手段】
【００２１】
本発明の錠剤分包機は（解決手段１）、このような課題を解決するために創案されたものであり、錠剤を収容して逐次排出する錠剤フィーダと、前記錠剤フィーダを複数装備しており筐体から前方へ引出可能な錠剤フィーダ格納庫を複数と、前記錠剤フィーダ格納庫に装備されていて前記錠剤フィーダから排出された錠剤を下方へ案内して落下させる上部錠剤収集機構を複数と、前記上部錠剤収集機構から落下した錠剤を一時貯留してから放下する単列貯留機構を複数と、前記単列貯留機構を複数同時に動作させて錠剤放下を一斉に行わせる複列同時駆動機構と、前記錠剤フィーダ格納庫の下方に設けられていて前記単列貯留機構から落下した錠剤を収集して下方へ投入する下部錠剤収集機構と、前記下部錠剤収集機構の下方に設けられていて前記下部錠剤収集機構から投入された錠剤を包装帯に区分包装する包装装置とを備えた錠剤分包機において、
前記上部錠剤収集機構を縦割りにした形で左右の縦割左側部分と縦割右側部分とに分けて、前記上部錠剤収集機構の縦割左側部分を前記錠剤フィーダ格納庫の隣接対のうち左側のものの右側面に装備し、前記上部錠剤収集機構の縦割右側部分を前記隣接対のうち右側の錠剤フィーダ格納庫の左側面に装備し、更に、前記複列同時駆動機構と前記単列貯留機構との連結部に分離係合可能な伝動機構を設け、前記複列同時駆動機構を奥側に配置し、その手前側に前記単列貯留機構を左右に並走状態で配置するとともに個別に前方へ引き出せるようにした錠剤分包機であって、
前記単列貯留機構を前記上部錠剤収集機構の縦割左側部分か縦割右側部分か何れか一方の下端部に付設し、更に、前記単列貯留機構を前記上部錠剤収集機構の縦割左側部分に付設する態様では前記単列貯留機構のうち右側部分を着脱自在な引出時錠剤落下防止部材にし、前記単列貯留機構を前記上部錠剤収集機構の縦割右側部分に付設する態様では前記単列貯留機構のうち左側部分を着脱自在な引出時錠剤落下防止部材にしたことを特徴とする。
【００２２】
また、本発明の錠剤分包機は（解決手段２）、やはり上記の課題を解決するために創案されたものであり、錠剤を収容して逐次排出する錠剤フィーダと、前記錠剤フィーダを複数装備しており筐体から前方へ引出可能な錠剤フィーダ格納庫を複数と、前記錠剤フィーダ格納庫に装備されていて前記錠剤フィーダから排出された錠剤を下方へ案内して落下させる上部錠剤収集機構を複数と、前記上部錠剤収集機構から落下した錠剤を一時貯留してから放下する単列貯留機構を複数と、前記単列貯留機構を複数同時に動作させて錠剤放下を一斉に行わせる複列同時駆動機構と、前記錠剤フィーダ格納庫の下方に設けられていて前記単列貯留機構から落下した錠剤を収集して下方へ投入する下部錠剤収集機構と、前記下部錠剤収集機構の下方に設けられていて前記下部錠剤収集機構から投入された錠剤を包装帯に区分包装する包装装置とを備えた錠剤分包機において、
前記上部錠剤収集機構を縦割りにした形で左右の縦割左側部分と縦割右側部分とに分けて、前記上部錠剤収集機構の縦割左側部分を前記錠剤フィーダ格納庫の隣接対のうち左側のものの右側面に装備し、前記上部錠剤収集機構の縦割右側部分を前記隣接対のうち右側の錠剤フィーダ格納庫の左側面に装備し、更に、前記複列同時駆動機構と前記単列貯留機構との連結部に分離係合可能な伝動機構を設け、前記複列同時駆動機構を奥側に配置し、その手前側に前記単列貯留機構を左右に並走状態で配置するとともに個別に前方へ引き出せるようにした錠剤分包機であって、
前記単列貯留機構を縦割りにした形で左右の縦割左側部分と縦割右側部分とに分けて、前記単列貯留機構の縦割左側部分を前記上部錠剤収集機構の縦割左側部分の下端部に付設し、前記単列貯留機構の縦割右側部分を前記上部錠剤収集機構の縦割右側部分の下端部に付設し、更に、前記単列貯留機構の縦割左側部分に錠剤貯留放下切替用の可動部材が装備されている態様では前記単列貯留機構の縦割左側部分に右側から着脱自在な引出時錠剤落下防止部材を装着し、前記単列貯留機構の縦割右側部分に錠剤貯留放下切替用の可動部材が装備されている態様では前記単列貯留機構の縦割右側部分に左側から着脱自在な引出時錠剤落下防止部材を装着したことを特徴とする。
【００２３】
さらに、本発明の錠剤分包機は（解決手段３）、上記解決手段１，２の錠剤分包機であって、前記着脱部材は前記単列貯留機構の他の部材より背丈が小さいものであることを特徴とする。
【００２４】
また、本発明の錠剤分包機は（解決手段３）、上記解決手段１〜３の錠剤分包機であって、前記上部錠剤収集機構の内部空間の上側部分の前後の長さが前記単列貯留機構の内部空間の前後の長さより長くなっており、前記上部錠剤収集機構の内部空間の下側部分の前後の長さを前記上部錠剤収集機構の内部空間の上側部分の前後の長さから前記単列貯留機構の内部空間の前後の長さへ漸減させる斜め上向き斜面を具備した前後長漸減部材を前記上部錠剤収集機構の前下部分と後下部分のうち何れか一方または双方に対して着脱自在に装着したことを特徴とする。
【発明の効果】
【００２５】
このような本発明の錠剤分包機にあっては（解決手段１，２の共通部分）、既述した錠剤分包機４０の利点が踏襲されている。すなわち、上部錠剤収集機構を左右に縦割りにして錠剤フィーダ格納庫の隣接対の右左側面に分けて装備したことにより、隣接対の薬剤フィーダ格納庫を共に筐体の中に収めた状態では、縦割左側部分と縦割右側部分とが合わさって、上部薬剤収集機構が落下薬剤の案内路として本来の機能を発揮するので、自動調剤が支障なく行われる。また、上部薬剤収集機構を清掃するときには、先ず隣接対の薬剤フィーダ格納庫の片方だけを筐体から前方へ引き出す。そうすると、引き出された薬剤フィーダ格納庫の側面のところに上部薬剤収集機構の内側の薬剤落下経路囲繞面が露出するので、拭き掃除等が対面式で容易かつ迅速に行える。それから、それを筐体に押し戻し、隣接対の他方の薬剤フィーダ格納庫を引き出して、同様にすれば、残りの片方も綺麗になる。そのため、上部薬剤収集機構の内面を清掃するのが容易な薬剤分包機となっている。
【００２６】
さらに、そのような従来技術の踏襲にとどまることなく、新たに、分離係合可能な伝動機構を採用して複列同時駆動機構と単列貯留機構との連結を着脱可能にしたうえで、単列貯留機構を個別に引き出せるようにもしたことにより、左右両端の単列貯留機構ばかりか中央の単列貯留機構についても、清掃作業の対象物だけを筐体から前方へ引き出して他の物は筐体内に押し込んだ状態で作業できるので、清掃作業が楽な姿勢で行えるうえ、除去物の他単列貯留機構への再付着も防止される。
しかも、上部錠剤収集機構の改良と単列貯留機構の改良とが各部でなされるにとどまらず、協働するようにもなっている。
【００２７】
すなわち、本発明の錠剤分包機にあっては（解決手段１）、単列貯留機構が上部錠剤収集機構の縦割左側部分か縦割右側部分か何れか一方の下端部に付設されていることから、隣接対の錠剤フィーダ格納庫の片方を筐体から前方へ引き出すと、隣接対の何れか一方の引き出し時に、上部錠剤収集機構の縦割片側部分と一緒に随伴して単列貯留機構も一つずつ前方に出て来る。そのため、上部錠剤収集機構の内側の錠剤落下経路囲繞面の拭き掃除等のついでに、単列貯留機構も一つずつ楽な姿勢で清掃することができる。また、隣接対の錠剤フィーダ格納庫を共に筐体の中に収めれば、単列貯留機構も上部錠剤収集機構と共に筐体内に戻って、単列貯留機構が複列同時駆動機構に連結されるので、動作可能状態になる。そのため、本発明の錠剤分包機は、上部錠剤収集機構の内面ばかりか単列貯留機構の内面までも清掃するのが容易なものとなっている。
【００２８】
しかも、単列貯留機構のうち付設先の清掃面と同じ向きの一側部分を着脱自在な引出時錠剤落下防止部材にしたことにより、引出中あらぬ所に錠剤が落下してしまうことがなくて安全性に優れているという利点を損なうことなく、引出後は引出時錠剤落下防止部材を外すことで容易かつ迅速に単列貯留機構の内側の錠剤落下経路囲繞面を露出させることができる。そして、単列貯留機構についても拭き掃除等を対面式で行うことができる。
したがって、この発明によれば、単列貯留機構を上部錠剤収集機構に随伴させて引き出しても引出中は一時貯留錠剤の不所望な落下を防止することができ引出後は対面状態で清掃できる錠剤分包機を実現することができる。
【００２９】
また、本発明の錠剤分包機にあっては（解決手段２）、上部錠剤収集機構の縦分割を見習って、単列貯留機構も左右に縦割したうえで、縦割左側部分についても縦割右側部分についても上部錠剤収集機構の下端部に単列貯留機構を付設したことにより、隣接対の錠剤フィーダ格納庫の片方を筐体から前方へ引き出すと、上部錠剤収集機構の縦割片側部分と共に単列貯留機構の縦割片側部分も前方に出て来て、上部錠剤収集機構も単列貯留機構も、内側の錠剤落下経路囲繞面が露出するので、拭き掃除等が対面式で容易かつ迅速に行える。そのため、本発明の錠剤分包機は、上部錠剤収集機構の内面ばかりか単列貯留機構の内面までも対面式で容易かつ迅速に清掃しうるものとなっている。
【００３０】
しかも、縦割にした単列貯留機構の左右部分のうち錠剤貯留放下切替用の可動部材が装備されている方には、着脱自在な引出時錠剤落下防止部材を装着したことにより、引出中あらぬ所に錠剤が落下してしまうという不都合が起こりえなくなるため、安全性が向上する。なお、引出時錠剤落下防止部材の装着部分については、拭き掃除等が対面式で容易かつ迅速に行えるという利点が失われたようにも見えるが、引出後に引出時錠剤落下防止部材を外すことで容易かつ迅速に単列貯留機構の内側の錠剤落下経路囲繞面を露出させることができるので、上記利点は維持されている又は簡単に回復する。
したがって、この発明によれば、単列貯留機構を上部錠剤収集機構に随伴させて引き出しても引出中は一時貯留錠剤の不所望な落下を防止することができ引出後は対面状態で清掃できる錠剤分包機を実現することができる。
【００３１】
さらに、本発明の錠剤分包機にあっては（解決手段３）、引出時錠剤落下防止部材の背丈が低いことから、上部錠剤収集機構と共に引き出した単列貯留機構に引出時錠剤落下防止部材が装着されていても、単列貯留機構の内部空間を覗き込むのが容易なので、引出時錠剤落下防止部材を取り外す前に、単列貯留機構の内部状態を目視確認して、引出時錠剤落下防止部材の取り外して行う清掃の必要性を判断することができる。
【００３２】
また、本発明の錠剤分包機にあっては（解決手段４）、単列貯留機構内の斜め上向き斜面は、錠剤の汚れが強く付着したりして清掃が遣りにくい所であるが、そのような斜面を具備した前後長漸減部材を着脱自在にしたことにより、清掃の遣り難さが軽減される。
【図面の簡単な説明】
【００３３】
【図１】本発明の実施例１について、錠剤分包機の要部の構造を示し、（ａ）と（ｂ）が平面図、（ｃ）が上部錠剤収集機構と単列貯留機構とを右斜め上から見下ろした斜視図、（ｄ）が上部錠剤収集機構の縦割右側部分と単列貯留機構とを左斜め上から見下ろした斜視図である。
【図２】その錠剤分包機の全体構造を示し、（ａ）と（ｂ）が平面図、（ｃ）が正面図、（ｄ）が右側面図である。
【図３】その錠剤分包機の内部構造を示す模式図である。
【図４】単列貯留機構の構造を示し、（ａ）が角筒体の斜視図、（ｂ）が開閉機構の斜視図、（ｃ）と（ｄ）が単列貯留機構の斜視図である。
【図５】一時貯留機構の構造を示し、（ａ）と（ｂ）が一時貯留機構の斜視図、（ｃ）と（ｄ）と（ｅ）が単列貯留機構の縦断正面図である。
【図６】本発明の実施例２ついて、錠剤分包機の要部の構造を示し、（ａ）と（ｂ）が平面図、（ｃ）が上部錠剤収集機構と単列貯留機構とを右斜め上から見下ろした斜視図、（ｄ）が上部錠剤収集機構および単列貯留機構の縦割右側部分を左斜め上から見下ろした斜視図である。
【図７】本発明の実施例３について、錠剤分包機のうち上部錠剤収集機構と単列貯留機構との構造を示し、（ａ）と（ｂ）が内部構造を示す模式図、（ｃ）が上部錠剤収集機構の縦割右側部分の左側面図、（ｄ）と（ｅ）が上部錠剤収集機構の縦割右側部分の正面図、（ｆ）と（ｇ）が引出時錠剤落下防止部材の斜視図、（ｈ）が前後長漸減部材の斜視図である。
【図８】従来の錠剤分包機の構造を示し、（ａ）が左前から見た錠剤分包機の外観斜視図、（ｂ）が錠剤分包機の内部構造を示す模式図、（ｃ）が左前から見た錠剤分包機の外観斜視図、（ｄ）が錠剤手撒き装置付き錠剤分包機の左側面図である。
【図９】一時貯留機構を引出可能にした試作の錠剤分包機の構造を示し、（ａ）が左前から見た錠剤分包機の外観斜視図、（ｂ）が錠剤分包機の内部構造を示す模式図、（ｃ）が左前から見た錠剤分包機の外観斜視図である。
【図１０】上部錠剤収集機構を縦割した錠剤分包機の要部構造を示し、（ａ）と（ｂ）が平面図、（ｃ）が上部薬剤収集機構を右斜め上から見下ろした斜視図、（ｄ）が縦割右側部分を左斜め上から見下ろした斜視図である。
【発明を実施するための形態】
【００３４】
このような本発明の錠剤分包機について、これを実施するための具体的な形態を、以下の実施例１〜３により説明する。
図１〜図５に示した実施例１は、上述した解決手段１（出願当初の請求項１）を具現化したものであり、図６に示した実施例２は、上述した解決手段２〜３（出願当初の請求項２〜３）を具現化したものであり、図７に示した実施例３は、上述した解決手段２〜４（出願当初の請求項２〜４）を具現化したものである。
なお、それらの図示に際しては、簡明化等のため、ボルト等の締結具や，ヒンジ等の連結具，モータドライバ等の電気回路，コントローラ等の電子回路の詳細などは図示を割愛し、発明の説明に必要なものや関連するものを中心に図示した。
また、それらについて背景技術の欄で述べたことは以下の各実施例についても共通するので、重複する再度の説明は割愛し、以下、従来との相違点を中心に説明する。
【実施例１】
【００３５】
本発明の錠剤分包機の実施例１について、その具体的な構成を、図面を引用して説明する。図１は、（ａ）が総ての錠剤フィーダ格納庫１２を薬品庫１１に押し込んだときの上部錠剤収集機構１４０等の平面図、（ｂ）が一部の錠剤フィーダ格納庫１２を薬品庫１１から前方へ引き出したときの上部錠剤収集機構１４０等の平面図、（ｃ）が上部錠剤収集機構１４０と単列貯留機構３２０とを右斜め上から見下ろした斜視図、（ｄ）が上部錠剤収集機構１４０の縦割右側部分１４２とその下端に付設された単列貯留機構３２０とを左斜め上から見下ろした斜視図である。
【００３６】
また、図２は、錠剤分包機３００の三面図で、（ａ）と（ｂ）が平面図、（ｃ）が正面図、（ｄ）が右側面図である。さらに、図３は、その錠剤分包機３００の内部構造を示す模式図である。また、図４は、単列貯留機構３２０の構造を示し、（ａ）が角筒体３２１の斜視図、（ｂ）が開閉機構３２５の斜視図、（ｃ）と（ｄ）が単列貯留機構３２０の斜視図である。また、図５は、一時貯留機構３１０の構造を示し、（ａ）と（ｂ）が一時貯留機構３１０の斜視図、（ｃ）と（ｄ）と（ｅ）が単列貯留機構３２０の縦断正面図である。
【００３７】
錠剤分包機３００は（図１〜図３参照）、既述した従来の錠剤分包機３０と同様、錠剤１を収容して逐次排出する錠剤フィーダ１３を多数と、錠剤フィーダ１３を複数装備しており筐体から前方へ引出可能な錠剤フィーダ格納庫１２を複数と、錠剤フィーダ格納庫１２を複数装備した薬品庫１１と、錠剤フィーダ格納庫１２に装備されていて錠剤フィーダ１３から排出された錠剤１を下方へ案内して落下させる上部錠剤収集機構１４０を複数と、上部錠剤収集機構１４０から落下した錠剤１を一時貯留してから放下する単列貯留機構３２０を複数と、単列貯留機構３２０を複数同時に動作させて錠剤放下を一斉に行わせる複列同時駆動機構３３０とを備えている。
【００３８】
また、錠剤分包機３００は、それらに加え、やはり錠剤分包機３０と同様、薬品庫１１の下方に設けられていて単列貯留機構３２０から落下した錠剤１を収集して下方へ投入する下部錠剤収集機構１５と、下部錠剤収集機構１５の下方に設けられていて下部錠剤収集機構１５から錠剤投入部１６に投入された錠剤１を包装帯２に区分包装する包装装置１７と、それらの動作制御を担うコントローラ１８や操作パネル１９も備えている。錠剤手撒き装置２１＋２２も、単列貯留機構３２０の下方に来ているが、装備されている。
この錠剤分包機３００が既述した従来の錠剤分包機３０と相違するのは、既述した従来の錠剤分包機４０と同様に上部錠剤収集機構１４が改造されて上部錠剤収集機構１４０になっている点と、何れの従来機とも異なり一時貯留機構３１が改造されて一時貯留機構３１０になっている点である。以下、これらの相違点について詳述する。
【００３９】
上部錠剤収集機構１４０は、従来の上部錠剤収集機構１４を左右均等に縦割りして縦割左側部分と縦割右側部分とに分割したものでも良いが、図示の例では製造も清掃も容易化すべく、縦割左側部分１４１は平坦な単板に錠剤フィーダ１３の錠剤排出口への連通穴を穿孔して作られ、縦割右側部分１４２は、やはり平坦な単板に錠剤フィーダ１３の錠剤排出口への連通穴を穿孔するが、更に前縁部分と後縁部分が同じ幅だけ折り曲げ加工されて縦割左側部分１４１に向けられることで、作られている。縦割左側部分１４１は、隣り合っている一対の錠剤フィーダ格納庫１２，１２のうち左側のものの右側面に装備され、縦割右側部分１４２は、上記の隣接対の錠剤フィーダ格納庫１２，１２のうち右側のものの左側面に装備されている。
【００４０】
位置合わせの許容度を上げるために平板の縦割左側部分１４１は縦割右側部分１４２より少し広めになっており、対向状態では上端面と下端面が解放されて開口になっている。また、一つの上部錠剤収集機構１４０が、隣接対の錠剤フィーダ格納庫１２，１２に装備された多数の錠剤フィーダ１３から排出される錠剤を総て落下案内するようになっている。さらに、下部錠剤収集機構１５の上部開口の前後幅を狭めるとともに単列貯留機構３２０を短くして複列同時駆動機構３３０の内蔵空間を筐体内に確保することができるよう、この上部錠剤収集機構１４０は下端部が絞られた形で下端開口が少し狭くなっている。
【００４１】
一時貯留機構３１０は、一時貯留機構３１と同様に、複数の単列貯留機構３２０と単数の複列同時駆動機構３３０とからなるが、単列貯留機構３２が改造されて単列貯留機構３２０になり、複列同時駆動機構３３が改造されて複列同時駆動機構３３０になって、単列貯留機構３２０と複列同時駆動機構３３０との連結部が分離係合可能な伝動機構の導入によって着脱自在なものになっている点で相違する。また、一時貯留機構３１０の平面配置については、一時貯留機構３１と同様、複列同時駆動機構３３０が奥側に配置され、その手前側に複列同時駆動機構３３０が左右に並走状態で配置されているが、一時貯留機構３１０の前方引出については、複列同時駆動機構３３０が固定される一方、単列貯留機構３２０がそれぞれ対応する縦割右側部分１４２の下端部に付設されて縦割右側部分１４２と共に一つずつ前方へ引き出されるようになった点で、一時貯留機構３１と異なる。
【００４２】
単列貯留機構３２０は（図４参照）、角筒体３２１と開閉機構３２５とを組み合わせた典型例を図示したが、そのうち角筒体３２１は（図４（ａ）参照）、前後に細長い左側板３２２及び右側板３２３と、例えば右上隅に貫通穴３２４の形成された前板および後板とからなり、上面と下面とが解放されていて、中空が錠剤落下経路になっている。角筒体３２１のうち左側板３２２は（図４（ａ），図５（ｅ），図１（ｄ）参照）、着脱自在な引出時錠剤落下防止部材を兼ねており、この例では取り外しや持ち運びに便利な把手３２２ａが両端に装備されている。また、開閉機構３２５は（図４（ｂ）参照）、平らで前後に細長い板体３２６と、板体３２６の上辺が連結固定された細長い支軸３２７と、支軸３２７の奥側の端部にクランクピン状に偏心して連結された係合軸３２８とを具えている。
【００４３】
板体３２６を角筒体３２１の中空に遊挿させるとともに、支軸３２７を貫通穴３２４に挿通させて、抜け止めを装着することで、単列貯留機構３２０が出来ており（図４（ｃ），（ｄ）参照）、係合軸３２８を周回運動させて例えば最上位置に来させると板体３２６が縦になって角筒体３２１の中空すなわち錠剤落下経路が開通され（図４（ｃ），図５（ｄ）参照）、係合軸３２８を逆向きに周回運動させて最上位置から斜め下方へ移動させると板体３２６が斜めになって角筒体３２１の中空すなわち錠剤落下経路が閉鎖されるようになっている（図４（ｄ），図５（ｃ）参照）。また、このような単列貯留機構３２０では、角筒体３２１の左側板３２２の右側面と開閉機構３２５の板体３２６の左側面とが、主たる錠剤落下経路囲繞面になっている。
【００４４】
複列同時駆動機構３３０は、単列貯留機構３２０を複数同時に動作させて錠剤放下を一斉に行わせることができるものであって、それぞれの単列貯留機構３２０との連結部が着脱可能になっていて単列貯留機構３２０の個々の離脱を許容するとともに、連結された単列貯留機構３２０に対しては開閉動作の駆動を行えるようになっていれば足りるが、図示した具体例のものは（図５（ａ），（ｂ）参照）、左右に延びたガイド３３１と、ガイド３３１に装着された電動モータ３３２と、ガイド３３１と同様に左右に延びていてガイド３３１に案内されて左右にだけ往復動しうるスライダ３３３と、スライダ３３３を例えば左方へ付勢する付勢バネ３３４とを具えている。
【００４５】
そして、電動モータ３３２が起動されていない状態では、スライダ３３３が可動範囲内で左方へ移動しているが（図５（ａ）参照）、電動モータ３３２が起動されると、スライダ３３３が可動範囲内で右方へ移動するようになっている（図５（ｂ）参照）。
また（図５（ａ），（ｂ）参照）、この複列同時駆動機構３３０には、単列貯留機構３２０と同じ個数だけ揺動アーム３３５も具わっており、揺動アーム３３５は単列貯留機構３２０と同じピッチで左右に並べて列設されて単列貯留機構３２０と一対一で対応している。揺動アーム３３５は、何れも、支点３３６を中心にして揺動しうる状態で固定されており、例えば上端部がスライダ３３３の係合穴等に係合していて、スライダ３３３の左右移動に随伴して揺動すなわち所定範囲内での双方向回転を行うものとなっている。
【００４６】
また、揺動アーム３３５の揺動部分たとえば下端部には長穴状の係合穴３３７が形成されており、係合穴３３７の幅が単列貯留機構３２０の係合軸３２８の軸径より僅かに広くなっている。そのため（図５（ａ）参照）、単列貯留機構３２０が筐体の中に押し込まれると、その係合軸３２８が係合穴３３７に挿入されて両者が係合し、単列貯留機構３２０が筐体から前方へ引き出されると、その係合軸３２８が係合穴３３７から抜け出て両者が離脱するので、このような揺動アーム３３５は駆動側伝動部材になっており、係合軸３２８は従動側伝動部材となっており、両伝動部材３３５，３２８は複列同時駆動機構３３０と単列貯留機構３２０との連結部に設けられた分離係合可能な伝動機構になっている。そして、電動モータ３３２の起動されない常態では単列貯留機構３２０の錠剤落下経路が閉じられ（図５（ａ），（ｃ）参照）、電動モータ３３２が起動されると単列貯留機構３２０の錠剤落下経路が開けられるものとなっている（図５（ｂ），（ｄ）参照）。
【００４７】
角筒体３２１の左側板３２２が単列貯留機構３２０における着脱自在な引出時錠剤落下防止部材になっていることについて詳述すると（図４（ａ），図５（ｅ），図１（ｄ）参照）、左側板３２２は、マグネット等の引力部材や，面ファスナ等の係止部材，フック等の掛止部材などを利用して、錠剤落下経路の開閉を担う揺動部材・可動部材を保持している角筒体３２１の前板および後板に対し、着脱自在に装着されている。そして、電動モータ３３２が起動されない常態や縦割右側部分１４２及び単列貯留機構３２０の引出時には、錠剤落下経路の開閉を担う板体３２６の下端部が左側板３２２に当接して、板体３２６と角筒体３２１の前板と後板と左側板３２２とによって錠剤１の一時貯留空間が維持されるため、単列貯留機構３２０を上部錠剤収集機構１４０に随伴させて引き出しても引出中は一時貯留錠剤の不所望な落下を防止することができるものとなっている。
【００４８】
なお、この実施例では、単列貯留機構３２０が上部錠剤収集機構１４０の縦割右側部分１４２の下端に付設されていることから、単列貯留機構３２０のうち左側に位置している部分である左側板３２２が着脱自在な引出時錠剤落下防止部材になっている。
これに対し、図示は割愛したが、単列貯留機構３２０が上部錠剤収集機構１４０の縦割左側部分１４１の下端に付設されている場合は、単列貯留機構３２０のうち右側に位置している部分である右側板３２３を着脱自在な引出時錠剤落下防止部材にし、錠剤落下経路開閉用の板体３２６の支軸３２７を右上から左上に移設し、常態や引出時には板体３２６が右下がり傾斜状態で下端部を右側板３２３に当接させるようにすれば良い。
【００４９】
この実施例１の錠剤分包機３００について、その使用態様及び動作を説明する。基本的な使い方や動作については、従来と同様なので、繰り返しとなる説明は割愛して、ここでは、従来との相違点である上部錠剤収集機構１４０と一時貯留機構３１０との清掃作業の遣り方を詳述する。一時貯留機構３１０のうち複列同時駆動機構３３０は錠剤落下経路囲繞面を持たないので、分解修理等の保守作業は別として、通常行う清掃作業では、一時貯留機構３１０については単列貯留機構３２０を清掃すれば足りる。
【００５０】
分包時等の定常状態では（図２，図３参照）、錠剤フィーダ格納庫１２が総て薬品庫１１に押し込まれて筐体に収まっており、どの上部錠剤収集機構１４０も、縦割左側部分１４１と縦割右側部分１４２とが密接状態や近接状態で対向していて、対向内面が錠剤落下経路を囲繞しており、上端開口から下端開口へ落下錠剤を案内することができる。また、どの単列貯留機構３２０も、対応する上部錠剤収集機構１４０の下端部で錠剤落下経路を囲繞しており、複列同時駆動機構３３０の駆動によって錠剤落下経路を開閉することで（図５（ａ），（ｂ）参照）、閉状態では、ばらばら落下して来た錠剤１を一時貯留することができ（図５（ｃ）参照）、開時には貯留錠剤を一斉に放下することができる（図５（ｄ）参照）。
【００５１】
そして、上部錠剤収集機構１４０と単列貯留機構３２０とを清掃するときには、既述した自動分包の動作を停止させてから、上部錠剤収集機構１４０の縦割左側部分１４１と、上部錠剤収集機構１４０の縦割右側部分１４２及び単列貯留機構３２０とに分けて行う。詳述すると（図１（ｂ）参照）、先ず、隣り合っている二個の錠剤フィーダ格納庫１２のうち片方だけを薬品庫１１から前方へ引き出す。引き出したのが隣接対のうち左側の錠剤フィーダ格納庫１２であれば（図１（ｂ）において引出中の錠剤フィーダ格納庫のうち左の方を参照）、上部錠剤収集機構１４０のうち縦割左側部分１４１が筐体の外に出て、その部分の錠剤落下経路囲繞面が全域露出するので、それを拭き掃除等で綺麗にするが、錠剤落下経路囲繞面が右横向きで露出するので、その清掃作業は、対面状態で行える。具体的には、一つずつ立った姿勢で内窓の拭き掃除に近い感じで楽に行える。
【００５２】
それから、その清掃済み錠剤フィーダ格納庫１２を薬品庫１１に押し戻すとともに、それと隣接対をなす又は別の隣接対をなす右側の錠剤フィーダ格納庫１２を薬品庫１１から前方へ引き出す（図１（ｂ）において引出中の錠剤フィーダ格納庫のうち右の方を参照）。すると、今度は上部錠剤収集機構１４０のうち縦割右側部分１４２とそれに付設されている単列貯留機構３２０とが筐体の外に出て、その部分の錠剤落下経路囲繞面が全域露出するので、それを拭き掃除等で綺麗にする。このときも、上部錠剤収集機構１４０の縦割右側部分１４２については、錠剤落下経路囲繞面が左横向きで露出するので、その清掃作業は対面状態で行うことができる。
【００５３】
これに対し、単列貯留機構３２０については、引き出しによって錠剤落下経路囲繞面が上下に向けてなら露出するが、引き出しただけでは未だ錠剤落下経路囲繞面の露出状態が対面状態で清掃できるほど十分な横向きにはならないので、もう一手間だけ掛け、単列貯留機構３２０から左側板３２２を取り外す（図１（ｄ），図５（ｅ）参照）。左側板３２２は着脱自在なので、一手間かかるといっても簡単に取り外すことができる。
そうすると、取り外した左側板３２２は、任意の姿勢で取り扱えるので、その錠剤落下経路囲繞面３２２ａを対面状態で清掃することができる（図５（ｅ）参照）。
【００５４】
また、左側板３２２が取り去られた後、単列貯留機構３２０では、開閉機構３２５の板体３２６の錠剤落下経路囲繞面３２６ａが斜め上向きがかった左横向きで露出するので（図５（ｅ）参照）、その清掃作業も対面状態で行うことができる。単列貯留機構３２０は、上部錠剤収集機構１４０の下端に付設されていて低めの所にあるので、真横より斜め上向きの方が作業しやすい性質もあるので、却って好都合である。
そして、清掃を終えたら、左側板３２２を単列貯留機構３２０に再装着し、それから清掃済み縦割右側部分１４２装着先の錠剤フィーダ格納庫１２を薬品庫１１に押し戻す。
【００５５】
なお、上述したことから明らかなように、上部錠剤収集機構１４０の縦割右側部分１４２と共に単列貯留機構３２０が筐体から前方へ引き出されるとき、単列貯留機構３２０には左側板３２２が装着されており、単列貯留機構３２０では左側板３２２と板体３２６とよって錠剤落下経路が閉じられている。そのため、例えば仮に単列貯留機構３２０に錠剤１が保持されている状態のまま上部錠剤収集機構１４０と共に単列貯留機構３２０が筐体から前方へ引き出されてしまったとすると、その場合でも、左側板３２２が装着されていれば錠剤１は単列貯留機構３２０に保持され続けるので、引き出し操作を行っている途中で錠剤１が単列貯留機構３２０から落下してしまうことは起こりえず、左側板３２２を取り外して初めて錠剤１が単列貯留機構３２０から落ちるため、落下した錠剤１が錠剤分包機３００の内部に残留するという不所望な事態の発生は確実に回避することができる。
【実施例２】
【００５６】
本発明の実施例２としての錠剤分包機４００について、その具体的な構成を、図面を引用して説明する。図６は、（ａ）が総ての錠剤フィーダ格納庫１２を薬品庫１１に押し込んだときの上部錠剤収集機構１４０等の平面図、（ｂ）が一部の錠剤フィーダ格納庫１２を薬品庫１１から前方へ引き出したときの上部錠剤収集機構１４０等の平面図、（ｃ）が上部錠剤収集機構１４０と単列貯留機構３２０とを右斜め上から見下ろした斜視図、（ｄ）が上部錠剤収集機構１４０の縦割右側部分１４２と単列貯留機構３２０の縦割右側部分４２２とを左斜め上から見下ろした斜視図である。
【００５７】
この錠剤分包機４００が上述した実施例１の錠剤分包機３００と相違するのは、一体物であった単列貯留機構３２０が一体物でない単列貯留機構４２０になった点である。
単列貯留機構４２０は、一時貯留機構３１０を縦割りにて左右に分けた形の縦割左側部分４２１と縦割右側部分４２２とに分割したのに等しいものであるが、図示の例では、縦割左側部分１４１が平板で縦割右側部分１４２が立体化されているのに対応して、縦割左側部分４２１は単列貯留機構３２０の角筒体３２１の左側板３２２に相当する平板になっており、縦割右側部分４２２は、単列貯留機構３２０から左側板３２２を取り去った残部総てに加え、引出時錠剤落下防止部材４２３も、具備したものとなっている。
【００５８】
そして、単列貯留機構４２０の縦割左側部分４２１は、上部錠剤収集機構１４０の縦割左側部分１４１を下方へ延長する形で、上部錠剤収集機構１４０の縦割左側部分１４１の下端部に一体的に付設されて、縦割左側部分１４１に付随して筐体から前方へ引き出されると縦割左側部分１４１と一緒に錠剤落下経路囲繞面を右向きで露出するようになっている。また、単列貯留機構４２０の縦割右側部分４２２は、上部錠剤収集機構１４０の縦割右側部分１４２の下端部に対し一体加工にて又は後付にて付設されて、縦割右側部分１４２に付随して筐体から前方へ引き出されると縦割右側部分１４２と一緒に錠剤落下経路囲繞面を左向きで露出するようになっている。
【００５９】
引出時錠剤落下防止部材４２３は、上述した左側板３２２と同様、マグネット等の引力部材や，面ファスナ等の係止部材，フック等の掛止部材などを利用して、錠剤落下経路の開閉を担う揺動部材・可動部材を保持している角筒体３２１の前板および後板に対し、着脱自在に装着されている。そして、電動モータ３３２が起動されない常態や縦割右側部分１４２及び単列貯留機構３２０の引出時には、錠剤落下経路の開閉を担う板体３２６の下端部が引出時錠剤落下防止部材４２３に当接して、板体３２６と角筒体３２１の前板と後板と引出時錠剤落下防止部材４２３とによって錠剤１の一時貯留空間が維持されるため、単列貯留機構３２０を上部錠剤収集機構１４０に随伴させて引き出しても引出中は一時貯留錠剤の不所望な落下を防止することができるものとなっている。
【００６０】
なお、引出時錠剤落下防止部材４２３の背丈が単列貯留機構３２０のそれに一致している場合は、引出時錠剤落下防止部材４２３を左側板３２２を兼ねるものとみなすことができるとともに、縦割左側部分４２１を縦割左側部分１４１の単なる下方延長部とみることができ、そうすると、錠剤分包機４００が、上述した実施例１の錠剤分包機３００のように、単列貯留機構４２０を上部錠剤収集機構１４０の縦割右側部分１４２に付設したものとなる。
【００６１】
これに対し、引出時錠剤落下防止部材４２３のの背丈が単列貯留機構３２０のそれより小さい場合は、錠剤分包機３００と明確に異なり、縦割左側部分４２１が錠剤落下経路囲繞部材として機能する。また、その場合、縦割左側部分４２１も引出時錠剤落下防止部材４２３も錠剤落下経路囲繞部材として機能し、引出時錠剤落下防止部材４２３の担当範囲から外れた錠剤落下経路囲繞面を縦割左側部分４２１が担当するので、縦割左側部分４２１と引出時錠剤落下防止部材４２３とを併せた錠剤落下経路囲繞面の背丈が単列貯留機構３２０のそれに一致していれば良い。
【００６２】
この場合、隣り合っている二個の錠剤フィーダ格納庫１２のうち片方だけを薬品庫１１から前方へ引き出すと、上部錠剤収集機構１４０のうち縦割左側部分１４１か縦割右側部分１４２か何れか一方が薬品庫１１から外に出るとともに、随伴して単列貯留機構４２０のうち縦割左側部分４２１か縦割右側部分４２２か何れか対応する方も外に出るので、両者の錠剤落下経路囲繞面を拭き掃除等で綺麗にするが、その清掃作業は、縦割左側部分４２１については引き出したら直ちに、また縦割右側部分４２２については引出後に着脱自在な引出時錠剤落下防止部材４２３を取り外せば、立った姿勢で内窓の拭き掃除と同じほど楽に行えるので、拭き掃除等が対面式で容易かつ迅速に行える。
【実施例３】
【００６３】
本発明の錠剤分包機の実施例３について、その要部の具体的な構成を、図面を引用して説明する。
図７（ａ），（ｂ）は、上部錠剤収集機構１４０と単列貯留機構４２０の内部構造を示す模式図であり、そのうち（ａ）は上部錠剤収集機構１４０の縦割左側部分１４１と縦割右側部分１４２とが密着した実装状態を示し、（ｂ）は両者を左右に引き離した展開状態を示している。
【００６４】
また、図７（ｃ）は、上部錠剤収集機構１４０の縦割右側部分１４２の左側面図であり、図７（ｄ），（ｅ）は、上部錠剤収集機構１４０の縦割右側部分１４２の正面図であり、そのうち（ｄ）は、引出時錠剤落下防止部材４２３と前後長漸減部材４２４を装着させた状態を示し、（ｅ）は引出時錠剤落下防止部材４２３と前後長漸減部材４２４を取り外した状態を示している。さらに、図７（ｆ）は、引出時錠剤落下防止部材４２３の外面側の斜視図、図７（ｇ）は、引出時錠剤落下防止部材４２３の内面側・錠剤落下経路囲繞面側の斜視図、図７（ｈ）は、前後長漸減部材４２４の斜視図である。
【００６５】
この錠剤分包機は、実用性をより高めるために、上述した実施例２の錠剤分包機４００における上部錠剤収集機構１４０及び単列貯留機構４２０を更に改良したものである。
具体的には、錠剤フィーダ１３の錠剤排出口への連通穴から錠剤落下経路へ放出された錠剤１が錠剤落下経路を落下している途中で低位置の連通穴に飛び込んでしまうのを防止するために、カバー１４ａが、上部錠剤収集機構１４０の縦割左側部分１４１及び縦割右側部分１４２の双方に設けられている（図７（ａ）〜（ｃ）参照）。
【００６６】
また、引出時錠剤落下防止部材４２３は（図７（ｃ）〜（ｇ）参照）、装着時の保持力を確保するために、両端の当接着脱部の背丈Ｂが単列貯留機構４２０の縦割右側部分４２２の前板や後板と同じになっている。しかも、引出時に錠剤が落下するのを防止する機能を損なわない範囲で、大半を占める中間部の背丈Ａを単列貯留機構４２０の他の部材の背丈より小さくしたことにより、引出時錠剤落下防止部材４２３を取り外すまでもなく単列貯留機構４２０の内部を目視確認するのが容易に行えるものとなっている。
【００６７】
さらに、上部錠剤収集機構１４０の内部空間（錠剤落下経路）の上側部分の前後の長さが単列貯留機構４２０の内部空間（錠剤落下経路）の前後の長さより長くなっているのは上述した錠剤分包機３００，４００と同じであるが、その具現化は、上例のように上部錠剤収集機構１４０の縦割右側部分１４２の前下隅や後下隅を斜めに折り曲げて隅取を行うのでなく、縦割右側部分１４２の内部空間の前下隅や後下隅に前後長漸減部材４２４を装着するようになっている（図７（ｃ）〜（ｅ），（ｈ）参照）。
【００６８】
前後長漸減部材４２４は、例えば側面視が直角三角形の厚板や箱状体に形成されており（図７（ｃ），（ｈ）参照）、引出時錠剤落下防止部材４２３と同様の手段で或いは他の手段で着脱自在になっているので（図７（ｅ）参照）、それを縦割右側部分１４２の前下隅や後下隅に内装すると（図７（ｃ），（ｄ）参照）、上部錠剤収集機構１４０の内部空間の前下部分や後下部分が埋められると同時に、前後長漸減部材４２４の斜め上向き斜面４２５（図７（ｈ）参照）が上部錠剤収集機構１４０の内部空間の下側部分を画成することとなって（図７（ｃ）参照）、上部錠剤収集機構１４０の内部空間の下側部分の前後の長さが、上から下へ長さ測定位置を移してみたとき、上部錠剤収集機構１４０の内部空間の上側部分の前後の長さから、単列貯留機構４２０の内部空間の前後の長さへ、漸減することとなる。
【００６９】
また、この前後長漸減部材４２４の斜め上向き斜面４２５は、落下して来た錠剤１が強く当たるところなので、基材がステンレススチール等の金属の場合、衝撃緩和と粉塵付着防止のため例えばポリ弗化エチレン等で表面がコーティングされている。
上部錠剤収集機構１４０や単列貯留機構４２０も、例えばステンレススチールの板を加工して作った場合、当接部の材質が共に金属になり、同質の金属同士が引出時に擦れると異音がしたり表面が傷んだりすることもあるので、当接面の少なくとも一方にポリ弗化エチレン等のコーティングを施して当接面の材質の異なるものとなっている。
【００７０】
この場合、基本的な使い方や動作さらには上部錠剤収集機構１４０の縦割左側部分１４１や単列貯留機構３２０の清掃作業については、上述したのと同様なので、繰り返しとなる説明は割愛する。縦割右側部分１４２についても、前後長漸減部材４２４の装着部位は別として、縦割右側部分１４２の大部分の清掃作業は、上述したのと同様なので、やはりその説明を割愛し、ここでは、前後長漸減部材４２４の清掃作業と、縦割右側部分１４２における前後長漸減部材４２４の装着部位に対する清掃作業を説明する。
【００７１】
前後長漸減部材４２４は着脱自在なので簡単に取り外すことができ、取り外した前後長漸減部材４２４は、任意の姿勢で取り扱えるので、その斜め上向き斜面４２５も他の表面も対面状態など作業しやすい状態で清掃することができる。
また、前後長漸減部材４２４を取り去った後の縦割右側部分１４２は、錠剤落下経路囲繞面に加えて前後長漸減部材４２４の装着部位までも左横向きで露出するので、その清掃作業は前後長漸減部材４２４の装着部位をも含めて対面状態で行うことができる。
【００７２】
［その他］
なお、上記実施例では、図示と説明を割愛したが、単列貯留機構３２０が複列同時駆動機構３３０に対して離脱状態から係合状態に戻るときに、係合軸３２８が係合穴３３７に円滑に挿入されるよう、更に改良するのも好ましい。例えば係合軸３２８の先端にテーパ加工を施す等のことにより係合軸３２８の先端を尖らせても良く、例えば弱いバネなどの付勢手段を錠剤分包機３００に付設して単列貯留機構３２０を外力の無いときには閉状態に強制することにより係合軸３２８を係合に適合した状態に維持するのも良く、揺動アーム３３５や係合軸３２８それぞれに対して個別に可動範囲や停止位置を規制するとともにその範囲や規制を個々に調整しうるようにしても良い。
【００７３】
また、上記実施例では、錠剤手撒き装置２１＋２２が単列貯留機構３２０の下方に配置されていたが、錠剤手撒き装置２１＋２２は単列貯留機構３２０の上方に配置しても良く、例えば、何れかの錠剤フィーダ格納庫１２について、最下段の錠剤フィーダ１３を省き、その代わりに錠剤手撒き装置２１＋２２を組み込めば、錠剤手撒き装置２１＋２２が単列貯留機構３２０の上方に来るとともに、錠剤フィーダ格納庫１２に随伴して引き出されるので、錠剤手撒き装置２１＋２２の清掃や修理等も容易になる。
【００７４】
さらに、上記実施例３では、上部錠剤収集機構１４０の縦割左側部分１４１や縦割右側部分１４２の具体例として、錠剤フィーダ１３の錠剤排出口への連通穴が縦横に多数形成された単板に対し、横長のカバー１４ａを多段に付設したものを挙げたが、図７に示したようなカバー１４ａを前後のフレーム等で保持することで縦割左側部分１４１や縦割右側部分１４２を構成しても良い。その場合、錠剤フィーダ１３の錠剤排出口への連通穴が横長のスリット状になるとともに、単板を省くことも可能になる。
【産業上の利用可能性】
【００７５】
本発明の錠剤分包機は、錠剤手撒き装置２１＋２２の付いていない錠剤分包機にも適用することができる。
【符号の説明】
【００７６】
１…錠剤、２…包装帯（分包紙）、
１０…錠剤分包機、
１１…薬品庫、１２…錠剤フィーダ格納庫、１３…錠剤フィーダ、
１４…上部錠剤収集機構、１５…下部錠剤収集機構、１６…錠剤投入部、
１７…包装装置、１８…コントローラ（制御装置）、１９…操作パネル、
２０…錠剤分包機、
２１…予備撒き部（手撒き装置）、２２…作動部（手撒き装置）、
３０…錠剤分包機、
３１…一時貯留機構、３２…単列貯留機構、３３…複列同時駆動機構、
４０…錠剤分包機、
１４０…上部錠剤収集機構、１４１…縦割左側部分、１４２…縦割右側部分、
３００…錠剤分包機、
３２０…単列貯留機構、３２１…角筒体、
３２２…左側板（引出時錠剤落下防止部材）、３２２ａ…把手、
３２３…右側板、３２４…貫通穴、３２５…開閉機構、
３２６…板体、３２７…支軸、３２８…係合軸（従動側伝動部材）、
３３０…複列同時駆動機構、３３１…ガイド、
３３２…電動モータ、３３３…スライダ、３３４…付勢バネ、
３３５…揺動アーム（駆動側伝動部材）、３３６…支点、３３７…係合穴、
４００…錠剤分包機、
４２０…単列貯留機構、４２１…縦割左側部分、
４２２…縦割右側部分、４２３…引出時錠剤落下防止部材、
４２４…前後長漸減部材、４２５…斜め上向き斜面
【図１】
0005557819.tif 000002
【図２】
0005557819.tif 000003
【図３】
0005557819.tif 000004
【図４】
0005557819.tif 000005
【図５】
0005557819.tif 000006
【図６】
0005557819.tif 000007
【図７】
0005557819.tif 000008
【図８】
0005557819.tif 000009
【図９】
0005557819.tif 000010
【図１０】
0005557819.tif 000011